(57)【要約】【課題】アンテナ入力と外部入力の入力段階で音量レベル差を補正することで、入力切り換え時の手動による音量調整を不要とする。【解決手段】音量レベル比較部１１は、アンテナ１を介して入力され音声復調部５で復調された音声信号の音量レベルと、外部入力部１０を介して入力される再生音声信号の音量レベルとを比較し、制御部１３は、音量レベル比較部１１での比較結果に基づき、外部入力部１０を介して入力される音声信号の音量レベルを、アンテナ１を介して入力され音声復調部５で復調された音声信号の音量レベルに対して一定の音量レベル（例えば、同等の音量レベル）となるように調整する。【選択図】図１
2008294497.tif 000002
【特許請求の範囲】
【請求項１】
アンテナ入力の他に外部入力を備えたテレビジョン受信装置において、
前記アンテナを介して入力される情報の音声信号及び前記外部入力を介して入力される情報の音声信号を出力する音声信号出力手段と、
前記アンテナを介して入力される情報の音声信号と前記外部入力を介して入力される情報の音声信号とに基づいて、前記音声信号出力手段から出力される音声信号の音量レベルを制御する音量レベル制御手段とを備え、
前記アンテナ入力から前記外部入力への入力切り換え時、前記音量レベル制御手段は、前記アンテナを介して入力される情報の音声信号の音量レベルと前記外部入力を介して入力される情報の音声信号の音量レベルとを比較することにより、前記外部入力を介して入力される情報の音声信号の音量レベルを、前記アンテナを介して入力される情報の音声信号の音量レベルに対して一定の音量レベルとなるように調整することを特徴とするテレビジョン受信装置。
【請求項２】
前記外部入力を介して入力される情報の音声信号が、任意のディスクに記録されている情報の再生音声信号であることを特徴とする請求項１に記載のテレビジョン受信装置。
【請求項３】
前記アンテナ入力から前記外部入力への入力切り換え時、前記音量レベル制御手段は、前記アンテナを介して入力される情報の音声信号の音量レベルの所定時間当たりの平均値を求めるとともに、前記外部入力を介して入力される情報の音声信号の音量レベルの所定時間当たりの平均値を求め、これら平均値を比較することにより、前記外部入力を介して入力される情報の音声信号の音量レベルを、前記アンテナを介して入力される情報の音声信号の音量レベルに対して一定の音量レベルとなるように調整することを特徴とする請求項１または請求項２に記載のテレビジョン受信装置。
【請求項４】
前記音量レベル制御手段は、前記音量レベルの調整を、前記アンテナ入力から前記外部入力への入力切り換え後も、前記所定時間より長い一定時間が経過するたびに実施することを特徴とする請求項３に記載のテレビジョン受信装置。
【請求項５】
前記外部入力を介して入力される情報の音声信号が、基準となる音量信号が予め記録されている基準ディスクの再生音声信号であることを特徴とする請求項１に記載のテレビジョン受信装置。
【請求項６】
前記音量レベル制御手段は、前記基準ディスクを使用して音量調整を行った場合にはその調整値を記憶し、以後の前記アンテナ入力から前記外部入力への入力切り換え時には、記憶した前記調整値を用いて音量調整を行うことを特徴とする請求項４に記載のテレビジョン受信装置。
【発明の詳細な説明】
【技術分野】
【０００１】
本発明は、アンテナ入力の他に外部入力を備えたテレビジョン受信装置に係り、より詳細には、アンテナ入力から外部入力に切り換えたときの音量調整を行うテレビジョン受信装置に関する。
【背景技術】
【０００２】
現在のテレビジョン受信装置は複数の入力ソースを備えており、地上アナログ放送や地上デジタル放送の受信回路、衛星放送の受信回路、外部入力に接続されたビデオプレーヤやＤＶＤプレーヤ等がある。
【０００３】
これらの入力ソースはそれぞれ独自の形式で音声を放送または記録／再生しているので、テレビジョン受信装置でこれらの音声を受信する際に、各入力ソースにより音量レベルが異なっている。このため、例えば、地上デジタル放送を視聴していて、外部入力に接続されたＤＶＤプレーヤに入力を切り換えた場合に、音声が大きくなったり小さくなったりして、視聴者に不快感を与えてしまう。このため、視聴者はその度に音量調整を行わなければならなかった。
【０００４】
そこで、このような不具合を解消するためのに、入力を切り換えたときに音量調整を自動で行うテレビジョン受信装置が提案されている（例えば、特許文献１〜３等参照）。
【０００５】
特許文献１に記載のテレビジョン受信装置（テレビジョン受像機）は、ユーザがリモートコントローラ（以下、リモコンという。）を操作して、ＶＨＦやＢＳ等の信号源間の受信音量レベルの段差を補正する音量補正量を手動で設定してメモリに格納し、選局動作時に、メモリから基準音声データと音声補正量を読み出し、出力音声レベルがこれらデータを加算して得られる音量データで示される音量になるように音声回路を制御する構成となっている。これにより、例えばＶＨＦからＢＳ等へ信号源を切り換えた時、ユーザは手動により音量調整を行わなくとも、スピーカから聴感上ほぼ一定の音量レベルの音声が出力されるようになっている。ここで、上記の基準音量データは、放送チャンネルを受信しているときに、ユーザがリモコンを操作して音量を調整して設定した音量レベルである。
【０００６】
また、特許文献２に記載のテレビジョン受信装置（テレビジョン受像器）は、複数のチャンネルや入力ソースに対しての共通音量データとチャンネルや入力ソースにより異なる共通音量データに対する補正音量データとを予め記憶しておき、視聴者がチャンネルや入力ソースを切り換えた場合、選択されたチャンネルまたは入力ソースに対応する補正音量データを共通音量データに加えることで音量レベルを調整するようになっている。
【０００７】
また、特許文献３に記載のテレビジョン受信装置は、制御部のＲＡＭに、入力ソース毎に初期値データと変化量データとを記憶し、選択された入力ソースに応じた初期値データに出力音声信号の音量レベルを調整するようになっている。この状態で、視聴者が操作部やリモコンによりボリュームを変更すると、ＲＡＭに記憶された変化量データに応じて、出力音声信号の音量レベルが調整され、入力ソースが切り替わると、この新しい入力ソースに応じて、ＲＡＭに記憶された初期値データに基づいて出力音声信号の音量レベルが調整され、変化量データもＲＡＭの記憶内容に基づいて新しい入力ソースに応じた大きさに切り換わるようになっている。
【特許文献１】特開平１０−１０３３８７号公報
【特許文献２】特開平９−３７１７４号公報
【特許文献３】特開２００４−３２２２６号公報
【発明の開示】
【発明が解決しようとする課題】
【０００８】
上記各特許文献１〜３はいずれも、音量を補正するための各種データをメモリに予め登録しておき、入力切り換え時に、これらのデータに基づいて音量調整を行うようになっている。すなわち、スピーカに出力する音声の音量レベルを直接補正するようになっている。
【０００９】
ところで、例えば地上デジタル放送を視聴していて、外部入力に接続されたＤＶＤプレーヤに入力を切り換えた場合に、音声が大きくなったり小さくなったりするのは、上記したように、テレビジョン受信装置でこれらの音声を受信する際に、各入力ソースにより音量レベルが異なっていることに起因している。従って、アンテナ入力と外部入力の入力段階で、両入力の音声の音量レベルを調整してやれば、スピーカに出力する音声の音量レベルを直接補正しなくても、入力切り換え時の音量レベル差を解消することが可能である。すなわち、上記各特許文献１〜３のような各種データを用意する必要もない。
【００１０】
本発明はこのようなアンテナ入力と外部入力の入力段階に着目して創案されたもので、その目的は、アンテナ入力と外部入力の入力段階で音量レベル差を補正することで、入力切り換え時の手動による音量調整を不要としたテレビジョン受信装置を提供することにある。
【課題を解決するための手段】
【００１１】
上記課題を解決するため、本発明のテレビジョン受信装置は、アンテナ入力の他に外部入力を備えたテレビジョン受信装置において、前記アンテナを介して入力される情報の音声信号及び前記外部入力を介して入力される情報の音声信号を出力する音声信号出力手段と、前記アンテナを介して入力される情報の音声信号と前記外部入力を介して入力される情報の音声信号とに基づいて、前記音声信号出力手段から出力される音声信号の音量レベルを制御する音量レベル制御手段とを備え、前記アンテナ入力から前記外部入力への入力切り換え時、前記音量レベル制御手段は、前記アンテナを介して入力される情報の音声信号の音量レベルと前記外部入力を介して入力される情報の音声信号の音量レベルとを比較することにより、前記外部入力を介して入力される情報の音声信号の音量レベルを、前記アンテナを介して入力される情報の音声信号の音量レベルに対して一定の音量レベルとなるように調整することを特徴としている。
【００１２】
ここで、前記外部入力を介して入力される情報の音声信号は、市販のディスクに記録されている映画等の情報の再生音声信号や、外部入力に接続されたＤＶＤレコーダ等の記録再生装置で記録された放送番組等の情報の再生音声信号とする。また、一定の音量レベルとは、外部入力を介して入力される情報の音声信号の音量レベルと同じレベルに調整してもよいし、ある一定の範囲内の任意の音量レベルに調整するようにしてもよい。
【００１３】
また、本発明では、前記アンテナ入力から前記外部入力への入力切り換え時、前記音量レベル制御手段は、前記アンテナを介して入力される情報の音声信号の音量レベルの所定時間当たりの平均値を求めるとともに、前記外部入力を介して入力される情報の音声信号の音量レベルの所定時間当たりの平均値を求め、これら平均値を比較することにより、前記外部入力を介して入力される情報の音声信号の音量レベルを、前記アンテナを介して入力される情報の音声信号の音量レベルに対して一定の音量レベルとなるように調整するように構成してもよい。ここで、所定時間としては、例えば３０秒や１分というように比較的長い方が、より正確な音量レベルを求めることが可能であるが、ここでは入力切り換え時の音量レベルの調整であるので、例えば５秒程度の時間で平均値を求めて比較する。この場合、アンテナ入力側と外部入力側で同時に音量レベルを計測できるようにしておけば、入力切り換え後、５秒経過した時点で音量レベルが自動調整されることになる。これは、例えば視聴者が音量差に違和感を持った場合にリモコンを操作して音量を調整するまでの時間とあまり変わらないため、何ら不具合が生じるものではない。
【００１４】
また、本発明では、前記音量レベル制御手段は、前記音量レベルの調整を、前記アンテナ入力から前記外部入力への入力切り換え後も、前記所定時間より長い一定時間（例えば、５分等）が経過するたびに実施するように構成してもよい。このように、外部入力によるディスク再生画像の視聴中においても、一定時間ごとにアンテナ入力と外部入力との音量レベル差を調整することで、逆に外部入力からアンテナ入力に切り換えたときの音量レベル差も解消することができる。
【００１５】
また、本発明では、前記外部入力を介して入力される情報の音声信号を、基準となる音量レベルの音声信号が予め記録されている基準ディスクの再生音声信号とすることができる。すなわち、基準ディスクを用意することで、上記のような通常ディスクにおいて平均値をとるといった手間を省くことができ、より短時間に音量レベルの調整を行うことができる。この場合、前記音量レベル制御手段は、前記基準ディスクを使用して音量調整を行った場合にはその調整値を記憶し、以後の前記アンテナ入力から前記外部入力への入力切り換え時には、記憶した調整値を用いて音量調整を行う構成とすることができる。
【発明の効果】
【００１６】
本発明によれば、アンテナを介して入力される情報の音声信号の音量レベルと外部入力を介して入力される情報の音声信号の音量レベルとを比較することにより、外部入力を介して入力される情報の音声信号の音量レベルを、アンテナを介して入力される情報の音声信号の音量レベルに対して一定の音量レベルとなるように調整するように構成したので、音量調整のための各種データをメモリに保存しておく必要がなく、入力切り換え時の音量調整を適正音量に自動的に調整することができる。これにより、入力切り換え時の視聴者による手動での音量調整が不要となる。
【発明を実施するための最良の形態】
【００１７】
以下、本発明の実施の形態について、図面を参照して説明する。
【００１８】
図１は、本発明の一実施形態であるテレビジョン受信装置の主要部を示す機能ブロック図である。
【００１９】
図１に示すように、本実施形態のテレビジョン受像装置は、映像／音声信号を受信するアンテナ１と、受信した信号の選択チャンネルのみを抽出する受信部２と、抽出された映像／音声信号をそれぞれ映像信号と音声信号とに分離する信号分離部３と、映像信号を復調する映像復調部４と、音声信号を復調する音声復調部５と、復調された映像信号をＣＲＴやＴＦＴ等の映像表示部８に出力する映像信号出力部６と、復調された音声信号をスピーカ等の音声出力部９に出力する音声信号出力部７と、ＤＶＤレコーダ等の記録再生装置３０を接続する外部入力部１０と、音声復調部５で復調された音声信号の音量レベル及び外部入力部１０から入力された音声信号の音量レベルを比較する音量レベル比較部１１と、所定時間や一定時間等の各種時間を計測するタイマー回路部１２と、これら各部を制御する制御部１３と、視聴者による入力切り換えやチャンネル変更、音量調整等の命令を入力するための操作部１４とからなる。
【００２０】
外部入力部１０には、記録再生装置３０によって再生された映像／音声信号が入力される。また、操作部１４にはリモコン信号検出部（図示せず）が備えられており、リモコン２０を用いてチャンネル変更、入力ソース変更、音量変更等の命令が入力されると、その命令信号を受信して制御部１３に入力するようになっている。
【００２１】
制御部１３には、ＲＯＭ１６とＲＡＭ１７とが接続されている。ＲＯＭ１６には、テレビジョン受像装置を制御部１３で制御するための各種プログラムが記憶されており、制御部１３は、ＲＯＭ１６に格納されている各種プログラムを読み出し、ＲＡＭ１７のワークエリアに展開して実行する。また、ＲＡＭ１７には、必要に応じて各種データが記憶される。
【００２２】
受信部２は、アンテナ１で受信した多チャンネルの映像／音声複合信号から、選択されたチャンネルの映像／音声複合信号のみを抽出する。抽出された映像／音声複合信号は、信号分離部３において映像信号と音声信号とに分離され、映像信号は、映像復調部４に入力されて復調され、映像信号出力部６に出力される。また、音声信号は、音声復調部５に入力されて復調され、音声信号出力部７に出力される。一方、ＤＶＤレコーダ等の記録再生装置３０から再生出力された音声信号と映像信号は、外部入力部１０を介してそれぞれ音声信号出力部７と映像信号出力部６とに入力される。
【００２３】
音量レベル比較部１１は、アンテナ１を介して入力され音声復調部５で復調された音声信号の音量レベルと、外部入力部１０を介して入力される再生音声信号の音量レベルとを比較する。制御部１３は、音量レベル比較部１１での比較結果に基づき、外部入力部１０を介して入力される音声信号の音量レベルを、アンテナ１を介して入力され音声復調部５で復調された音声信号の音量レベルに対して一定の音量レベル（例えば、同等の音量レベル）となるように調整する。
【００２４】
ここで、外部入力部１０を介して入力される音声信号は、市販のディスクに記録されている映画等の情報の再生音声信号や、外部入力部１０に接続された記録再生装置３０によって記録された放送番組等の情報の再生音声信号とすることができる。ただし、外部入力部１０を介して入力される情報の音声信号を、基準となる音量レベルの音声信号が予め記録されている基準ディスクの再生音声信号としてもよい。すなわち、このような基準ディスクを予め用意しておき、この基準ディスクを記録再生装置３０で再生することで、外部入力部１０に入力される音声信号の音量レベルを調整するようにしてもよい。
【００２５】
次に、上記構成のテレビジョン受信装置において、アンテナ入力から外部入力への入力切り換えによる音量調整処理について、具体例を挙げて説明する。
【００２６】
＜具体例１＞
図２は、本具体例１の音量調整処理を説明するためのフローチャートである。以下、このフローチャートを参照して本具体例１を説明する。ただし、ここでは、外部入力部１０を介して入力される音声信号が、市販のディスクに記録されている映画等の情報の再生音声信号や、外部入力部１０に接続された記録再生装置３０によって記録された放送番組等の情報の再生音声信号である場合について説明する。
【００２７】
アンテナ１で受信した多チャンネルの映像／音声複合信号から、選択されたチャンネルの映像／音声複合信号を抽出して視聴している状態において、制御部１３は、リモコン２０から入力切り換え命令が送信されてきたか否かを監視する（ステップＳ１）。そして、入力切り換え命令が送信されてきた場合（ステップＳ１でＹｅｓと判断された場合）には、その入力切り換え命令がアンテナ入力から外部入力への切り換え命令であるか否かを確認する（ステップＳ２）。その結果、アンテナ入力から外部入力への切り換え命令でなかった場合（例えば、地上アナログ放送から地上デジタル放送への切り換え命令等）には、単に入力の切り換え処理を行って（ステップＳ３）、ステップＳ１に戻る。
【００２８】
一方、確認の結果がアンテナ入力から外部入力への切り換え命令であった場合（ステップＳ２でＹｅｓと判断された場合）には、まず入力の切り換え処理を行い（ステップＳ４）、次に音量レベル比較部１１を起動して、音量レベルの調整処理を実行する（ステップＳ５〜Ｓ７）。
【００２９】
すなわち、外部入力部１０に接続されている記録再生装置３０の再生動作により、外部入力部１０を介して再生映像／音声信号が入力されてくると、音量レベル比較部１１は、その時点でアンテナ１を介して入力され音声復調部５で復調されている音声信号の音量レベルと、外部入力部１０を介して入力されてくる再生音声信号の音量レベルとを比較し（ステップＳ５）、その比較結果を制御部１３に出力する（ステップＳ６）。制御部１３は、その比較結果に基づき、外部入力部１０を介して入力されてくる再生音声信号の音量レベルを、アンテナ１を介して入力される音声信号の音量レベルに対して一定の音量レベルとなるように調整する（ステップＳ７）。ここで、一定の音量レベルとは、同じ音量レベルでもよいし、一定範囲内で予め設定された所望の音量レベルでもよい。
【００３０】
例えば、音量レベルを各音声信号の電圧レベルで比較する場合、アンテナ１を介して入力される音声信号の音量レベルが例えば２Ｖであった場合には、外部入力部１０を介して入力されてくる再生音声信号の音量レベルも同じ２Ｖとなるように調整する。または、音量調整が、アンテナ１を介して入力される音声信号の音量レベルから１０％減の音量に設定するように予め決められている場合には、外部入力部１０を介して入力されてくる再生音声信号の音量レベルを１．８Ｖとなるように調整する。
【００３１】
このように、本発明のテレビジョン受信装置では、アンテナ入力と外部入力の入力段階で音量レベル差を補正しているので、リモコン２０の操作によってその時点での音量がどのレベルに設定されていても、その音声レベルに影響されることはない。すなわち、リモコン２０によるテレビ視聴時の音量設定が大音量であった場合には、入力切り換え後の外部入力部１０から入力された音声信号の音量もそれと同等の大音量で出力され、テレビ視聴時の音量が小音量であった場合には、入力切り換え後の外部入力部１０から入力された音声信号の音量もそれと同等の小音量で出力されることになる。
【００３２】
＜具体例２＞
図３は、本具体例２の音量調整処理を説明するためのフローチャートである。以下、このフローチャートを参照して本具体例２を説明する。ただし、ここでは、外部入力部１０を介して入力される音声信号が、市販のディスクに記録されている映画等の情報の再生音声信号や、外部入力部１０に接続された記録再生装置３０によって記録された放送番組等の情報の再生音声信号である場合について説明する。
【００３３】
アンテナ１で受信した多チャンネルの映像／音声複合信号から、選択されたチャンネルの映像／音声複合信号を抽出して視聴している状態において、制御部１３は、リモコン２０から入力切り換え命令が送信されてきたか否かを監視する（ステップＳ１１）。そして、入力切り換え命令が送信されてきた場合（ステップＳ１１でＹｅｓと判断された場合）には、その入力切り換え命令がアンテナ入力から外部入力への切り換え命令であるか否かを確認する（ステップＳ１２）。その結果、アンテナ入力から外部入力への切り換え命令でなかった場合（例えば、地上アナログ放送から地上デジタル放送への切り換え命令等）には、単に入力の切り換え処理を行って（ステップＳ１３）、ステップＳ１１に戻る。
【００３４】
一方、確認の結果がアンテナ入力から外部入力への切り換え命令であった場合（ステップＳ１２でＹｅｓと判断された場合）には、まず入力の切り換え処理を行い（ステップＳ１４）、次に音量レベル比較部１１を起動して、音量レベルの調整処理を実行する（ステップＳ１５〜Ｓ１９）。
【００３５】
すなわち、音量レベル比較部１１は、まずアンテナ１を介して入力され音声復調部５で復調されている音声信号の音量レベルを所定時間（例えば、５秒等）計測して、その平均値を求める（ステップＳ１５）。なお、この所定時間の計測は、タイマー回路部１２を起動して行う。
【００３６】
次に、音量レベル比較部１１は、外部入力部１０に接続されている記録再生装置３０の再生動作により、外部入力部１０を介して入力されてくる音声信号の音量レベルを同じく５秒間計測して、その平均値を求める（ステップＳ１６）。
【００３７】
この後、音量レベル比較部１１は、この計算により求めた平均値の両音量レベルを比較し（ステップＳ１７）、その比較結果を制御部１３に出力する（ステップＳ１８）。制御部１３は、その比較結果に基づき、外部入力部１０を介して入力されてくる再生音声信号の音量レベルを、アンテナ１を介して入力される音声信号の音量レベルに対して一定の音量レベルとなるように調整する（ステップＳ１９）。
【００３８】
このように、本具体例２では、アンテナ入力側の音量レベルと外部入力側の音量レベルとの比較に際し、それぞれ所定時間の計測を行ってその平均値を求めているので、上記具体例１の場合に比べて、アンテナ入力側の音量レベルの変化や外部入力側の音量レベルの変化による影響を少なくすることができ、より安定した音量調整が可能となる。
【００３９】
なお、本具体例２では、所定時間の音量レベルの計測をアンテナ入力側と外部入力側で順次行う構成としているが、音量レベル比較部１１に計測機能を２つ持たせることで、アンテナ入力側及び外部入力側の両方の計測を同時に行う構成とすることができる。これにより、入力切り換え後の音量レベルの調整をより短い時間で行うことが可能となる。これは、次の具体例３においても同様である。
【００４０】
＜具体例３＞
図４は、本具体例３の音量調整処理を説明するためのフローチャートである。以下、このフローチャートを参照して本具体例３を説明する。ただし、ここでは、外部入力部１０を介して入力される音声信号が、市販のディスクに記録されている映画等の情報の再生音声信号や、外部入力部１０に接続された記録再生装置３０によって記録された放送番組等の情報の再生音声信号である場合について説明する。
【００４１】
アンテナ１で受信した多チャンネルの映像／音声複合信号から、選択されたチャンネルの映像／音声複合信号を抽出して視聴している状態において、制御部１３は、リモコン２０から入力切り換え命令が送信されてきたか否かを監視する（ステップＳ２１）。そして、入力切り換え命令が送信されてきた場合（ステップＳ２１でＹｅｓと判断された場合）には、その入力切り換え命令がアンテナ入力から外部入力への切り換え命令であるか否かを確認する（ステップＳ２２）。その結果、アンテナ入力から外部入力への切り換え命令でなかった場合（例えば、地上アナログ放送から地上デジタル放送への切り換え命令等）には、単に入力の切り換え処理を行って（ステップＳ２３）、ステップＳ２１に戻る。
【００４２】
一方、確認の結果がアンテナ入力から外部入力への切り換え命令であった場合（ステップＳ２２でＹｅｓと判断された場合）には、まず入力の切り換え処理を行い（ステップＳ２４）、次に音量レベル比較部１１を起動して、音量レベルの調整処理を実行する（ステップＳ２５〜Ｓ２９）。
【００４３】
すなわち、音量レベル比較部１１は、まずアンテナ１を介して入力され音声復調部５で復調されている音声信号の音量レベルを所定時間（例えば、５秒等）計測して、その平均値を求める（ステップＳ２５）。この所定時間の計測は、上記具体例２と同様、タイマー回路部１２を起動して行う。
【００４４】
次に、音量レベル比較部１１は、外部入力部１０に接続されている記録再生装置３０の再生動作により、外部入力部１０を介して入力されてくる音声信号の音量レベルを同じく５秒間計測して、その平均値を求める（ステップＳ２６）。
【００４５】
この後、音量レベル比較部１１は、この計算により求めた平均値の両音量レベルを比較し（ステップＳ２７）、その比較結果を制御部１３に出力する（ステップＳ２８）。制御部１３は、その比較結果に基づき、外部入力部１０を介して入力されてくる再生音声信号の音量レベルを、アンテナ１を介して入力される音声信号の音量レベルに対して一定の音量レベルとなるように調整する（ステップＳ２９）。
【００４６】
この後、制御部１３は、タイマー回路部１２によって一定時間（例えば、５分等）の計測を開始し（ステップＳ３０）、一定時間が経過すると（ステップＳ３０でＹｅｓと判断されると）、ステップＳ２５に戻って、再び音量レベルの調整処理を実行する。
【００４７】
本具体例３では、このようなステップＳ２５〜ステップＳ３０の処理を、外部入力からアンテナ入力への切り換えが行われるまで繰り返し実施する。
【００４８】
このように、本具体例３では、外部入力によるディスク再生画像の視聴中においても、一定時間ごとにアンテナ入力と外部入力との音量レベル差を調整する構成としたので、外部入力からアンテナ入力に切り換えたときの音量レベル差も解消することができる。
【００４９】
上記具体例１〜３では、外部入力部１０を介して入力される音声信号が、市販のディスクに記録されている映画等の情報の再生音声信号や、外部入力部１０に接続された記録再生装置３０によって記録された放送番組等の情報の再生音声信号である場合について説明しているが、基準ディスクを用いて音量調整を行ってもよい。この場合の処理は、上記具体例１と同様であるが、基準ディスクを用いた場合、制御部１３は、このときの音量調整値を例えばＲＡＭ１７に記憶する。そして、以後のアンテナ入力から外部入力への入力切り換え時には、この記憶した調整値を用いて音量調整を行うように構成してもよい。
【図面の簡単な説明】
【００５０】
【図１】本発明の一実施形態であるテレビジョン受信装置の主要部を示す機能ブロック図である。
【図２】具体例１の音量調整処理を説明するためのフローチャートである。
【図３】具体例２の音量調整処理を説明するためのフローチャートである。
【図４】具体例３の音量調整処理を説明するためのフローチャートである。
【符号の説明】
【００５１】
１  アンテナ
２  受信部 
３  信号分離部
４  映像復調部
５  音声復調部
６  映像信号出力部
７  音声信号出力部
８  映像表示部
９  音声出力部
１０  外部入力部
１１  音量レベル比較部
１２  タイマー回路部
１３  制御部
１４  操作部
２０  リモコン
３０  記録再生装置
【図１】
2008294497.tif 000003
【図２】
2008294497.tif 000004
【図３】
2008294497.tif 000005
【図４】
2008294497.tif 000006